(57)【要約】      （修正有）【課題】収納するＡＶ機器の大きさに係わらずコード類をまとめて収納することができるテレビ台を提供する。【解決手段】テレビ台１は、箱型の本体部２を備え、本体部２内には、第１、第２、第３収納部と、コード類を収納するコード収納部１９とが設けられている。第１収納部１３は、ＡＶ機器収納部２７ｂと、引出式の引出収納部２９とからなる。コード収納部１９は、本体部２内の背面側、具体的には、引出収納部２９の後方に位置し、転び止め板４１及び背板部９ｂによって区画された収納スペースであり、収納するＡＶ機器の大きさに係わらず、コード類をまとめて収納することができ、また、引出収納部２９の後方に位置することで、コード類が正面から見えないので、外観を損ねない。【選択図】図６
0003200772.tif 000002
【実用新案登録請求の範囲】
【請求項１】
テレビを載置する天板部を有する箱状の本体部を備えたテレビ台において、
前記本体部内には、前記本体部の正面に開口するＡＶ機器収納部が区画され、
前記本体部内の背面側には、コード類を収納するコード収納部が区画されていることを特徴とするテレビ台。
【考案の詳細な説明】
【技術分野】
【０００１】
本考案は、テレビの載置、ＡＶ機器の収納、及び、ＡＶケーブル、電源コード等のコード類の収納を可能にしたテレビ台に関する。
【背景技術】
【０００２】
従来より、テレビを載置し、また、ビデオ、ＤＶＤレコーダー、ＢＤレコーダー等のＡＶ機器を収納することができるテレビ台が知られている。
【０００３】
例えば、特許文献１には、ＡＶ機器を収納するＡＶ機器収納部と、テレビを載置するテレビ載置部とを備えたテレビ台が記載されている。このテレビ台のＡＶ機器収納部は、天板、地板、前板、両側板及び背板とからなる箱状に形成されている。ＡＶ機器収納部の前板は、地板に軸支され、開閉可能となっている。
【先行技術文献】
【特許文献】
【０００４】
【特許文献１】特許第４５８１５３２号
【考案の概要】
【考案が解決しようとする課題】
【０００５】
しかしながら、特許文献１に記載されたテレビ台では、ＡＶ機器をＡＶ機器収納部内に収納する際、ＡＶ機器の大きさによって、テレビとＡＶ機器とを接続するＡＶケーブルをＡＶ機器収納部内に収納することができず、外部に露出する虞があり、外観上好ましくない。
【０００６】
本考案は、上記の点に鑑みてなされたものであり、収納するＡＶ機器の大きさに係わらずコード類をまとめて収納することができるテレビ台を提供することを目的とする。
【課題を解決するための手段】
【０００７】
上記の課題を解決するために、請求項１に係る考案は、テレビを載置する天板部を有する箱状の本体部を備えたテレビ台において、
前記本体部内には、前記本体部の正面に開口するＡＶ機器収納部が区画され、
前記本体部内の背面側には、コード類を収納するコード収納部が区画されていることを特徴とするものである。
【０００８】
本項に係るテレビ台は、本体部内の背面側にコード収納部を設けることで、ＡＶ機器の大きさに係わらず、ＡＶケーブル、電源コード等のコード類及び電源タップ等をまとめて収納することが可能となり、また、コード類及び電源タップ等が正面から見えないので、外観を損ねない。
【考案の効果】
【０００９】
本考案によれば、収納するＡＶ機器の大きさに係わらずコード類をまとめて収納することができる。
【図面の簡単な説明】
【００１０】
【図１】本考案の一実施形態に係るテレビ台の概略斜視図である。
【図２】図１に示すテレビ台の平面図である。
【図３】図１に示すテレビ台の正面図である。
【図４】図１に示すテレビ台の背面図である。
【図５】図１に示すテレビ台の側面図であり、（ａ）は左側面図、（ｂ）は右側面図である。
【図６】図２に示すテレビ台のＡ−Ａ線に沿う断面図である。
【図７】図１に示すテレビ台の概略背面斜視図である。
【図８】図１に示すテレビ台の第１，第２及び第３収納部を開放した状態を示す概略斜視図である。
【考案を実施するための形態】
【００１１】
以下、本考案の一実施形態を図１〜図８に基づいて詳細に説明する。
図１〜図８に示すように、本実施形態に係るテレビ台１は、テレビを載置し、また、ＡＶ機器、ゲーム機、ＤＶＤ又はＣＤ等の情報媒体、情報媒体を保護するケース、及び、テレビとＡＶ機器とを繋ぐＡＶケーブル、電源コード等のコード類（以下、コード類という）を収納するためのものである。
【００１２】
テレビ台１は、略直方体であり、天板部３、側板部５ａ，５ｂ、底板部７、背板部９ａ，９ｂ及び土台１１からなる一方（前部）が開口した箱型の本体部２を備え、本体部２には、第１収納部１３、第２収納部１５及び第３収納部１７と、コード類及び電源タップ等を収納するコード収納部１９（図４及び図７参照）とが設けられている。本体部２には、第１、第２及び第３収納部１３，１５，１７を仕切るために、天板部３の下面と底板部７の上面とに固定された、第１仕切り部２１ａ及び第２仕切り部２１ｂが設けられている（図８参照）。
【００１３】
本体部２の天板部３は、テレビを載置する役割を有し、コード類を挿通する切欠き部２３が形成されている（図１及び図２参照）。この切欠き部２３は、テレビ台１の背面側の略中央の一カ所に設けられ、第１収納部１３に繋がっている（図４及び図７参照）。また、天板部３は、側板部５ａ，５ｂの奥行Ｗ２より大きい奥行Ｗ１を有している（図５（ａ）及び図５（ｂ）参照）。これにより、テレビ台２を天板部３が壁（図示せず）に接するように設置したとき、テレビ台１の背面と壁との間に隙間が形成され、コード類を挟むのを防ぐことができる。
【００１４】
本体部２の背板部９ａは、本体部２の背面の一部、すなわち、側板部５ｂから第１仕切り部２１ａまでの本体部２の背面を閉塞するように設けられている。また、背板部９ａは、コード類を挿通するコード挿通部２５が開口され、このコード挿通部２５は、第３収納部１７と連通している。背板部９ｂは、第１仕切り部２１ａから側板部９ａまでの本体部の一部背面を閉塞するように、コード収納部１９と引出収納部２９（後述）との間に設けられている（図６参照）。
【００１５】
第１収納部１３は、ＡＶ機器を収納するＡＶ機器収納部２７と、このＡＶ機器収納部２７の下方に隣接して設けらた引出式の引出収納部２９とからなる。ＡＶ機器収納部２７は、側板部５ａと第１仕切り部２１ａとに固定された棚部２８と、天板部３の下面と棚部２８の上面に固定された仕切り板３１によって区画され、更に、仕切り板３１によって第１ＡＶ機器収納部２７ａと第２ＡＶ機器収納部２７ｂとに区画されている。第１及び第２ＡＶ機器収納部２７ａ，２７ｂは、前後が開口した吹き抜け構造で構成されている（図６，図７及び図８参照）。
【００１６】
第１収納部１３の引出収納部２９は、略直方体の上部が開口した箱型であり、前後方向にスライド移動することができる。引出収納部２９は、両側面に設けられたインナーレール３３（スライド機構）が側板部５ａの内面及び側板部５ａに対向する仕切り板２１ａの側面に設けれたアウターレールと係合してスライド移動可能に案内されている。引出収納部２９の正面側の前板２９ａの上部には、第１及び第２ＡＶ機器収納部２７ａ，２７ｂの正面の開口に対向して略長方形状の透明のガラス板３５（透明板）が取付けられ、下部には、その裏面縁部をえぐって形成した手掛け部（図示せず）が設けられている。ガラス板３５は、引出収納部２９の収納時に、第１及び第２ＡＶ機器収納部２７ａ，２７ｂの正面の開口を覆う。
【００１７】
第２収納部１５は、略立方体の上部が開口した箱型であり、第１収納部１３と第３収納部１７との間に配置されている。また、第２収納部１５は、引出式の収納部であり、両側面に設けられたインナーレール（スライド機構、図示せず）に案内されて、前後方向にスライド移動することができる。インナーレールは、側板部５ｂ側の第１仕切り板２１ａの側面及び第１仕切り板２１ａに対向する第２仕切り板２ｂの側面に設けられたアウターレールと係合している。第２収納部１５の前板１５ａの下部には、その裏面縁部をえぐって形成した手掛け部（図示せず）が設けられている。
【００１８】
第３収納部１７は、開閉型の収納部であり、扉３７を備える。この扉３７は、ヒンジ３９を介してテレビ台１の側板部５ｂに連結されている。また、第３収納部１７の扉３７の下部には、その裏面縁部をえぐって形成した手掛け部（図示せず）が設けられている。
【００１９】
コード収納部１９は、第１収納部１３の引出収納部２９の後方に位置し、転び止め板４１及び背板部９ｂによって区画されたコード類及び電源タップ等の収納スペースである（図６参照）。転び止め板４１は、テレビ台１の背面の一部、すなわち、側板部５ａから第１仕切り部２１ａまでの本体部２の背面下部を閉塞するように、背面側の底板部７の縁部に設けられている（図６参照）。
【００２０】
本考案の一実施形態に係るテレビ台１によると、コード収納部１９を設けることで、ＡＶ機器の大きさに係わらず、コード類及び電源タップ等をまとめて収納することが可能となる。また、コード収納部１９を第１収納部１３の引出収納部２９の後方に設けることで、コード類が正面から見えないので、外観を損ねない。
【００２１】
また、本考案の一実施形態に係るテレビ台１によると、第１及び第２ＡＶ機器収納部２７ａ，２７ｂは、前後が開口した吹き抜け構造となっているので、ＡＶ機器の熱を外部に効率よく放出することができ、熱のこもりを防止することができる。
【００２２】
更に、本考案の一実施形態に係るテレビ台によると、第１及び第２ＡＶ機器収納部２７ａ，２７ｂの正面の開口を引出収納部２９の前板２９ａに取付けられたガラス板３５によって覆うようにしたことにより、引出収納部２９を収納した状態でもリモートコントローラ（図示せず）からの光信号がガラス板３５を透過し、ＡＶ機器に届くので、リモートコントローラにより、ＡＶ機器を確実に操作することができる。
【００２３】
なお、本実施形態のテレビ台１では、天板部３の背面側の略中央の一カ所に切欠き部２３を設けているが、複数カ所に設けてもよい。
【００２４】
また、本実施形態のテレビ台１では、リモートコントローラからの光信号を透過できる透明版として、第１収納部１３の引出収納部２９の前板２９ａにガラス板３５を設けているが、ガラス板３５の代わりにアクリル、ポリカーボネート等の透過性を備えた合成樹脂板を用いてもよい。
【符号の説明】
【００２５】
１…テレビ台、２…本体部、３…天板部、１９…コード収納部、２７…ＡＶ機器収納部
【図１】
0003200772.tif 000003
【図２】
0003200772.tif 000004
【図３】
0003200772.tif 000005
【図４】
0003200772.tif 000006
【図５】
0003200772.tif 000007
【図６】
0003200772.tif 000008
【図７】
0003200772.tif 000009
【図８】
0003200772.tif 000010